(57)【要約】      （修正有）【課題】悪臭の漏れを防止する廃棄物貯蔵装置および廃棄物貯蔵システムを提供する。【解決手段】廃棄物貯蔵装置１は、容器開口部８を有する容器２、３と、容器開口部の領域において容器に回転可能に取り付けられる駆動リング１２を備え、駆動リングの中央開口部に通された廃棄物貯蔵用袋つまり筒状ビニール１３を係止する。廃棄物貯蔵装置は、ラック棒２５を備え、ラック棒の第１の端部において容器内へ移動可能に導かれて駆動リングと連動し、ラック棒の自由端部である第２の端部において蓋９に対向し蓋と協働する。廃棄物貯蔵システム２０は、上述の廃棄物貯蔵装置と、廃棄物貯蔵用袋つまり筒状ビニールを収容した貯蔵カセット１７とを備える。【選択図】図１
2017206385.tif 000002
【特許請求の範囲】
【請求項１】
容器開口部（８）を有する容器（２、３）と、
前記容器（２、３）に回動可能に取り付けられ、前記容器開口部（８）を開閉する蓋（９）と、
前記容器開口部（８）の領域において前記容器（２、３）に回転可能に取り付けられ、その中央開口部に通された廃棄物貯蔵用袋つまり筒状ビニール（１３）を係止するように構成された駆動リング（１２）と、
前記駆動リング（１７）と連動するラック棒（２５）と、を備える廃棄物貯蔵装置（１）であって、
前記ラック棒（２５）は、前記ラック棒（２５）の第１の端部において、前記容器（２、３）内に移動可能に導かれ、前記ラック棒（２５）の自由端部である第２の端部において、前記蓋（９）と協働することを特徴とする、廃棄物貯蔵装置。
【請求項２】
前記蓋（９）の移動が、前記ラック棒（２５）と前記駆動リング（１７）との移動を引き起こし、さらに前記廃棄物貯蔵用筒状ビニール（１３）にねじりと閉塞を引き起こすことを特徴とする、請求項１に記載の廃棄物貯蔵装置。
【請求項３】
前記駆動リング（１７）が、前記ラック棒（２５）と連動する歯部すなわち環状歯車（２１）を備えることを特徴とする、請求項１または２に記載の廃棄物貯蔵装置。
【請求項４】
前記駆動リング（１７）が、かさ歯車（２２）と協働する前記歯部すなわち環状歯車（２１）を備え、前記かさ歯車（２２）は、前記ラック棒（２５）と協働する歯車（２４）と連動することを特徴とする、請求項３に記載の廃棄物貯蔵装置。
【請求項５】
前記蓋（９）の移動が、前記ラック棒（２５）、前記歯車（２４）、前記かさ歯車（２２）および前記駆動リング（１７）に移動を引き起こし、さらに前記廃棄物貯蔵用筒状ビニール（１３）にねじりと閉塞を引き起こすことを特徴とする、請求項４に記載の廃棄物貯蔵装置。
【請求項６】
前記容器（２、３）に前記蓋（９）を回動可能に取り付けるためのヒンジ（１０）の向かい側に、前記ラック棒（２５）が配置されることを特徴とする、請求項１から５のいずれか１項に記載の廃棄物貯蔵装置。
【請求項７】
前記ラック棒（２５）および前記駆動リング（１２）が、作動中に手動で駆動されることを特徴とする、請求項１から６のいずれか１項に記載の廃棄物貯蔵装置。
【請求項８】
前記駆動リング（１２）が、弾性のフラップ／蓋（１５）を有する漏斗部を備えることを特徴とする、請求項１から７のいずれか１項に記載の廃棄物貯蔵装置。
【請求項９】
前記容器（２、３）に取り付けられ、前記廃棄物貯蔵用袋つまり筒状ビニール（１３）を固定するファスナ（２８）を備えることを特徴とする、請求項１から８のいずれか１項に記載の廃棄物貯蔵装置。
【請求項１０】
前記筒状ビニール（１３）を結ぶときに前記筒状ビニール（１３）を保持する少なくとも一つの結束装置（３９）を備え、前記結束装置（３９）は、切込み部（４２）を間に設けた二つのピン状部分（４０、４１）を備えることを特徴とする、請求項１から９のいずれか１項に記載の廃棄物貯蔵装置。
【請求項１１】
前記二つのピン状部分（４０、４１）の軸間の距離は、前記二つのピン状部分（４０、４１）の端部に向かって増加し、開口された前記二つのピン状部分（４０、４１）の領域において測定される前記軸間の角度（α）が６０°以下であることを特徴とする、請求項１０に記載の廃棄物貯蔵装置。
【請求項１２】
前記二つのピン状部分（４０、４１）の軸は略平行であり、前記二つのピン状部分（４０、４１）の端部は基本的に同じ方向を向いていることを特徴とする、請求項１０に記載の廃棄物貯蔵装置。
【請求項１３】
前記切込み部（４２）は、Ｖ字形状を有し、前記二つのピン状部分（４０、４１）の端部に向かって広がっていることを特徴とする、請求項１０から１２のいずれか１項に記載の廃棄物貯蔵装置。
【請求項１４】
前記切込み部（４２）に配置される刃（２９）を備えることを特徴とする、請求項１０から１３のいずれか１項に記載の廃棄物貯蔵装置。
【請求項１５】
前記ピン状部分（４１）の自由端部から距離を置いて配置されるストッパ（４３）を備えることを特徴とする、請求項１０から１４のいずれか１項に記載の廃棄物貯蔵装置。
【請求項１６】
前記ピン状部分（４０、４１）が、前記二つのピン状部分（４０、４１）に沿って設けられる窪み（４４）を備えることを特徴とする、請求項１０から１５のいずれか１項に記載の結束装置。
【請求項１７】
前記廃棄物貯蔵用袋つまり筒状ビニール（１３）を収容した環状の貯蔵カセット（１７）を受容するホルダ（１６）を備えることを特徴とする、請求項１から１６のいずれか１項に記載の廃棄物貯蔵装置。
【請求項１８】
前記ホルダ（１６）と前記駆動リング（１７）が共に回転するように、前記ホルダ（１６）が、前記駆動リング（１７）に取り付けられる、または前記駆動リング（１７）に設けられることを特徴とする、請求項１７に記載の廃棄物貯蔵装置。
【発明の詳細な説明】
【技術分野】
【０００１】
本発明は廃棄物貯蔵装置に関し、詳細には、容器開口部を有する容器と、容器に回動可能に取り付けられ、容器開口部を開閉する蓋とを備える廃棄物貯蔵装置に関する。この廃棄物貯蔵装置は、容器開口部の領域に回転可能に取り付けられる駆動リングをさらに備えており、駆動リングは、駆動リングの中央開口部に通された廃棄物貯蔵用袋つまり筒状ビニール（ｗａｓｔｅ  ｓｔｏｒａｇｅ  ｈｏｓｅ）を係止するように構成されている。廃棄物貯蔵装置は、駆動リングと連動するラック棒（ｇｅａｒ  ｒｏｄ）をさらに備えており、ラック棒の第１の端部は、容器内に移動可能に導かれる。さらに本発明は、上述の種類の廃棄物貯蔵装置と、廃棄物貯蔵用袋つまり筒状ビニールを収容した貯蔵カセットとを備える廃棄物貯蔵システムに関する。
【背景技術】
【０００２】
上述の種類の廃棄物貯蔵装置は一般的に既知であり、あらゆる種類の廃棄物を捨てるため、特に乳幼児用および／または成人用おむつ、および／または他の個人的な廃棄物を捨てるために使用される。新たな廃棄物を捨てるために廃棄物貯蔵装置を開けたときに、既に捨てられた一部の廃棄物から生じる悪臭が装置から漏れ、多くのユーザにとってかなり不快な状況となる。
【０００３】
例えば、米国特許出願第２００２／０１６２３０４Ａ１号は、容器の蓋に固定された円弧状のラック棒を備える廃棄物貯蔵装置を開示している。蓋が作動すると、廃棄物を受容する筒状ビニールは、内部に悪臭を閉じ込めるように自動的にねじられる。しかしながら、このねじりが十分ではない場合、ユーザは、直接筒状ビニールを追加的にねじることができない。筒状ビニールをさらにねじるために蓋を上下に動かすことしかできないため、ユーザにとってかなり不便である。さらに悪いことに、蓋の動きが気流を生じさせ、容器から室内に悪臭が放たれる。
【０００４】
米国特許第８，２１５，０８９号および米国特許出願公開第２０１０／０００５７６２号は、同様の欠点を有する自動的に作動する廃棄物貯蔵装置をさらなる先行技術として開示している。
【０００５】
米国特許第９，１０２，４６７号は、廃棄物貯蔵用筒状ビニールをねじるための手段をさらに備えた廃棄物貯蔵容器を開示している。具体的には、筒状ビニールを係止してねじる駆動リングがフットペダルによって作動される。この廃棄物貯蔵容器では、廃棄物を捨てるときに自動的に筒状ビニールがねじられることはなく、フットペダルの押下という別の操作によって筒状ビニールがねじられるため、不便である。さらに、廃棄物を捨てた直後にフットペダルが押下されなければ、臭いは閉じ込められずに筒状ビニールから漏れる可能性がある。
【０００６】
同様の欠点を有する独国実用新案登録第２０２００５０１５１１７号および独国実用新案登録第２０２００６００４１５９号は、米国特許第９，１０２，４６７号と類似の解決法を開示している。独国実用新案登録第２０２００５０１５１１７号および独国実用新案登録第２０２００６００４１５９号は、筒状ビニールをねじって閉じるために、フットペダルの代わりにプッシュロッドを開示している。
【発明の概要】
【発明が解決しようとする課題】
【０００７】
したがって、本発明の目的は、廃棄物貯蔵用筒状ビニールの封止を改善し、悪臭の漏れをより良好に防止する廃棄物貯蔵装置および廃棄物貯蔵システムを提供することである。特に、本発明の廃棄物貯蔵装置は、蓋を開閉したときに自動的に作動するが、要求に応じて正確に意図的に操作をすることもできる。
【課題を解決するための手段】
【０００８】
本発明の課題は、冒頭段落に記載した廃棄物貯蔵装置により解決される。本装置のラック棒は、ラック棒の自由端部である第２の端部において本装置の蓋と対向しており、蓋と協働する。
【０００９】
蓋が移動すると、ラック棒と駆動リングが移動し、廃棄物貯蔵用筒状ビニールはねじられて閉じられる。すなわち蓋の移動が、ラック棒と駆動リングとに移動を引き起こし、さらに廃棄物貯蔵用筒状ビニールにねじりと閉塞を引き起こす。
【００１０】
さらに、本発明の課題は、上述の種類の廃棄物貯蔵装置と、廃棄物貯蔵用袋つまり筒状ビニールを収容した貯蔵カセットとを備える廃棄物貯蔵システムにより解決される。
【００１１】
有利には、蓋が開閉したときに生じる駆動リングの回転により、廃棄物貯蔵用袋つまり筒状ビニールは、自動的にねじられて閉じられる。一方で、蓋が容器開口部を閉じることによって、防臭機能が提供される。他方で、蓋がラック棒を下方向へ押すときに、廃棄物貯蔵用袋つまり筒状ビニールはねじられ、防臭機能が提供される。このようにして、廃棄物貯蔵用袋つまり筒状ビニール内に悪臭を閉じ込めることができる。さらに、例えば、蓋による自動的なねじりが不十分であるとユーザが考えた場合に、ユーザは、蓋を動かすことなくラック棒の自由端部である第２の端部を押すことができ、それにより駆動リングが押されて、ラック棒を意図的に作動させることができる。
【００１２】
一般的に、駆動リングは、ユーザが駆動リングまたは駆動リングの中央開口部に通された廃棄物貯蔵用袋／筒状ビニールに直接触れることなく、作動されて回転してもよい。
【００１３】
さらなる有利な実施形態が、添付の請求項ならびに図面に記載されている。
【００１４】
本発明の有利な一実施形態では、駆動リングは、ラック棒と連動する歯部すなわち環状歯車（ｇｅａｒ  ｒｉｎｇ）を備えている。このようにして、ラック棒の移動は駆動リングの回転に変換される。
【００１５】
駆動リングは、かさ歯車（ｂｅｖｅｌ  ｇｅａｒ  ｗｈｅｅｌ）と協働する歯部すなわち環状歯車を備えることが特に有利であり、かさ歯車は、ラック棒と協働する歯車と連動する。蓋の移動が、ラック棒、ラック棒と協働する歯車、かさ歯車および駆動リングに移動を引き起こし、廃棄物貯蔵用筒状ビニールはねじられて閉じられる。これらの提案された方法によって、ラック棒の移動方向を駆動リングの回転軸に対して平行にすることができる。したがって、移動方向および駆動リングの回転軸が垂直に配置された場合、ラック棒は頂部から作動されてもよい。
【００１６】
さらに別の有利な実施形態では、ラック棒は、ワンウェイクラッチ装置（ｆｒｅｅｗｈｅｅｌ  ｕｎｉｔ）と連動する。特に、上述した実施形態のかさ歯車は、ワンウェイクラッチ装置を備えてもよい。しかしながら、ワンウェイクラッチ装置は、駆動機構の別の歯車に使用されてもよい。このワンウェイクラッチ装置によって、例えば、ラック棒が前後または上下に移動するとき、廃棄物貯蔵用袋つまり筒状ビニールのねじりが解消されることを防止できる。ワンウェイクラッチ装置は、上述の機能を実施するラチェット機構を備えてもよい。しかしながら、ワンウェイクラッチ装置が摩擦を利用すると特に有利である。摩擦を利用するワンウェイクラッチ装置は、通常、ばね付勢されるローラを備えており、ローラは、内側の被駆動シャフトと外側スリーブとの間に配置されている。具体的には、ローラは、シャフトのくさび状またはテーパ状の切欠き部内に配置されており、外側スリーブの内周面によって、ローラが切欠き部から外れることが防止される。一方の方向に回転すると、ローラは、切欠き部とスリーブの内周面との間のテーパ状の空間内で引っ掛かり、シャフトとスリーブが共に回転する。シャフトが他方の方向に回転するとき、ローラはスリーブの内周面上を単純に滑動する。この場合、シャフトが回転してもスリーブは静止している。摩擦を利用するワンウェイクラッチ装置の特に有利な点は、非常に静かに動作し、ほとんど聞こえないことである。このようにして、廃棄物貯蔵装置のユーザ、さらに（睡眠中の）乳幼児は、廃棄物貯蔵装置の音で煩わされることがない。
【００１７】
廃棄物貯蔵装置に摩擦を利用するワンウェイクラッチ装置を適用することは、請求項１の限定事項がなくても、つまり、ラック棒は自由端部である第２の端部において蓋と協働しなくても、有用であることに留意されたい。したがって、廃棄物貯蔵装置における摩擦を利用するワンウェイクラッチ装置の適用は、独立した発明の基礎を成すことができる。その場合、駆動リングのための駆動部は、異なる構成を有してもよい。例えば、ラック棒は、蓋に固定されてもよく、蓋に回動可能に取り付けられてもよい。ラック棒は、蓋から距離を置いて配置されてもよい。ラック棒は、別の位置に配置されてもよく、例えば水平に配置されてもよく、廃棄物貯蔵装置の側壁を貫通するように配置されてもよい。さらに、ラック棒は必ずしも必要ではなく、摩擦を利用するワンウェイクラッチ装置は、駆動リングを駆動するクランクと組み合わせて使用されてもよい。この独立した発明は、次のように定めることができる。
【００１８】
廃棄物貯蔵装置は、
−  容器開口部を有する容器と、
−  容器開口部の領域に回転可能に取り付けられ、その中央開口部に通された廃棄物貯蔵用袋つまり筒状ビニールを係止するように構成された駆動リングと、
−  摩擦を利用するワンウェイクラッチ装置を有する、駆動リングのための駆動部と、を備えている。
【００１９】
本発明の有利な一実施形態では、ラック棒は、直線形／真っ直ぐである。ラック棒は直線的な動作で押されるため、ユーザは簡単に操作することができる。さらに、直線形／真っ直ぐなラック棒の製造は比較的容易である。これにより、提案される本発明の廃棄物貯蔵装置は、単純な技術的手段によって実現することができる。
【００２０】
さらに別の有利な実施形態では、ラック棒は垂直に配置されている。したがって、ラック棒はねじり機構を作動するために下方向へ押される。下方向への移動も、ユーザは簡単に行うことができる。
【００２１】
さらに、廃棄物貯蔵装置の有利な一実施形態では、ラック棒は、容器に蓋を取り付けるためのヒンジの向かい側に配置されている。このため、ラック棒の移動距離は比較的長い。これにより、軽い力で装置を作動でき、ねじり機構を容易に操作することができる。
【００２２】
さらに別の有利な実施形態では、作動されたラック棒は、自動的にアイドル位置に移動するように、ばね付勢されてもよい。したがって、単に押すまたは引き上げるだけでねじり機構が作動するため、ラック棒を往復移動させる必要はない。
【００２３】
駆動リングは、直接的または間接的に、作動中に手動で駆動されると有利である。このようにして、電源または電力系統へのコネクタの必要性が省略できる。しかしながら、駆動リングは、（電動）モータによって、同様に直接的または間接的に駆動されてもよい。
【００２４】
有利には、駆動リングは、弾性のフラップ／蓋を有する漏斗部を備えている。したがって、廃棄物貯蔵用袋つまり筒状ビニールに廃棄物を投入することが容易になる。さらに、弾性のフラップ／蓋は、廃棄物が捨てられた後にアイドル位置に戻るため、駆動リングが回転する前であっても廃棄物貯蔵用袋つまり筒状ビニールは閉じられる。
【００２５】
さらに有利な一実施形態では、廃棄物貯蔵装置は、容器に取り付けられたファスナを備えており、ファスナは、廃棄物貯蔵用袋つまり筒状ビニールを固定するように構成されている。このようにして、廃棄物貯蔵用袋つまり筒状ビニールのねじりによる閉塞が改善する。
【００２６】
さらに有利な一実施形態では、廃棄物貯蔵装置は、筒状ビニールを結ぶときにその筒状ビニールを保持する少なくとも一つの結束装置を備えており、結束装置は、切込み部が間に設けられた二つのピン状部分を備えている。これらの手段により、筒状ビニールは簡単に結ばれる。結び目を作るためには、筒状ビニールは、二つのピンの周りに巻かれ、それらのピンの間を経由して、形成されたループの中に通される。これは片手で簡単に実施することができる。したがって、提案された結束装置により、多くのユーザは初使用時から片手だけで筒状ビニールを結ぶことができるようになる。対照的に、通常結び目を作るには二本の空いている手が必要である。本発明の廃棄物貯蔵装置により、例えば、一方の手で乳幼児を抱えながら、他方の手でおむつを廃棄して筒状ビニールに結び目を作ることが可能になる。
【００２７】
二つのピン状部分の軸間の距離が、二つのピン状部分の端部に向かって増加し、且つ二つのピン状部分の開口部の領域において測定される軸間の角度が６０°以下であると、有利である。つまり、二つのピン状部分の端部は、基本的に同じ方向（反対の方向ではない）を向いている。このような手段によって、筒状ビニールのループは、結び目が作られる間、結束装置に良好に保持され、且つ筒状ビニールに作られた結び目は容易に結束装置から抜くことができる。角度が大きければ大きいほど、意図せずに結び目が落ちるリスクが低くなる。しかしながら、角度が６０°を超えると、結び目が結束装置内で詰まる場合もある。
【００２８】
さらに、二つのピン状部分の軸が略平行であって、且つ二つのピン状部分の端部が基本的に同じ方向（反対の方向ではない）を向いていると、有利である。本明細書における「略平行」とは、特に二つのピン状部分の軸間の角度が１０°以下であることを意味している。すなわち二つのピン状部分の軸間の距離は、二つのピン状部分の端部に向かって実質的に増加せず、二つのピン状部分の開口部の領域において測定される軸間の角度は、１０°以下である。これにより、筒状ビニールの結び目をより簡単に結束装置から抜くことができる。
【００２９】
切込み部がＶ字形状を有し、二つのピン状部分の端部に向かって広がっていることも有利である。これにより、筒状ビニールを形成されたループの中に簡単に通すことができる。しかしながら、切込み部は平行壁によって境界付けされてもよい。
【００３０】
切込み部に刃が配置されていることも有利である。これにより、筒状ビニールを容易に切断することができる。刃が設けられることで、一体型の結束／切断装置が提供される。
【００３１】
さらに別の有利な実施形態では、ピン状部分の自由端部から距離を置いてストッパが配置されている。特にストッパは、切込み部の端部または切込み部の端部の手前に配置されている。このような手段によって、ピンの間および筒状ビニールのループの中を通される筒状ビニールの、結束装置の切込み部以外の部分への望ましくない滑りを回避することができる。
【００３２】
さらに別の有利な実施形態では、結束装置は、ピン状部分上およびピン状部分に沿って設けられた窪みを備えている。これにより、結び目を作る人は、二つのピンの周りに巻かれた筒状ビニールによって形成されたループの中に指、特に親指を簡単に入れることができる。したがって、筒状ビニールの自由端部をループの中に通すことで、結び目はさらに簡単に完成する。
【００３３】
廃棄物貯蔵装置のさらに別の有利な実施形態では、ピン状部分の一方が、ラック棒用のラック棒ガイド（ｇｅａｒ  ｒｏｄ  ｇｕｉｄｉｎｇ）によって形成されている。このようにして、ピンが二つの機能を持つため、本発明の廃棄物貯蔵装置は非常にコンパクトな設計となる。これに関して、第１のピン状部分がラック棒ガイドによって形成され、第２のピン状部分がファスナによって形成されているとさらに有利である。
【００３４】
別の有利な実施形態では、廃棄物貯蔵装置は、廃棄物貯蔵用袋つまり筒状ビニールを収容した環状の貯蔵カセットを受容するホルダを備えている。したがって、貯蔵カセットを交換せずに、廃棄物を複数回捨てることができる。
【００３５】
有利には、ホルダが容器に取り付けられている。好適な一実施形態では、貯蔵カセットは単にホルダ上に置かれている。貯蔵カセットは、駆動リングの動きに追従するように自在に回転してもよく、駆動リングと共に回転しないようにホルダに固定されてもよい。
【００３６】
さらに有利な一実施形態では、ホルダは、駆動リングに取り付けられ、または駆動リングに設けられており、ホルダと駆動リングは共に回転する。好適な一実施形態では、貯蔵カセットは単に駆動リング上に置かれている。この場合、貯蔵カセットは、駆動リングと同期して回転する。これにより、貯蔵カセット内の廃棄物貯蔵用袋つまり筒状ビニールの望ましくないねじりが防止される。
【００３７】
さらに有利な一実施形態では、廃棄物貯蔵装置は、駆動リングと連動するクランクハンドルを備えている。これにより、駆動リングを、ユーザが直接触れることなく、作動して回転させることができる代替的な手段が提供される。
【図面の簡単な説明】
【００３８】
本発明がよりよく理解されるよう、本発明の実施形態を示す図面が以下に説明されている。図面は模式的に以下を示している。
【図１】図１は、廃棄物貯蔵装置の断面図である。
【図２】図２は、廃棄物貯蔵装置の上部の断面図である。
【図３】図３は、廃棄物貯蔵装置の他の角度の断面図である。
【図４】図４は、廃棄物貯蔵装置の斜視図であり、蓋が開けられた状態を示している。
【図５】図５は、廃棄物貯蔵装置の斜視図であり、容器が開けられた状態を示している。
【図６】図６は、廃棄物貯蔵装置の駆動部であるラック棒機構の分解図である。
【図７】図７は、廃棄物貯蔵装置の駆動部であるワンウェイクラッチ装置の詳細な側面断面図である。
【図８】図８は、例示的なワンウェイクラッチ装置の正面断面図である
【図９】図９は、上側から見た例示的な結束装置の詳細斜視図である。
【発明を実施するための形態】
【００３９】
全体として、同一の部分または同様の部分は、同一／同様の名称および符号で示されている。本明細書に開示された特徴は、同一／同様の名称および符号が夫々示す部分に適用されている。方向および相対位置（上、下、横など）は、関連する図面に対応して示されており、示された方向および／または相対位置は、状況に応じて各図面において補正される必要がある。
【００４０】
図１から図５は、例示的な廃棄物貯蔵装置および廃棄物貯蔵システムを示している。図１は、図４の切断線Ａ−Ａにおける廃棄物貯蔵装置の断面図であり、図２は、廃棄物貯蔵装置の上部の断面図であり、図３は、図４の切断線Ｂ−Ｂにおける廃棄物貯蔵装置の断面図であり、図４は、蓋が開けられた廃棄物貯蔵システムの斜視図であり、図５は、容器が開けられた廃棄物貯蔵システムの斜視図である。図４は、図１から図３に関する切断面の方向をさらに示している。
【００４１】
廃棄物貯蔵装置１は、容器上部２と容器下部３とを有する容器を備えており、容器上部２および下部３は、プラスチック製であることが好ましい。容器上部２は、第１のヒンジ４によって容器下部３に回動可能に連結されており、この連結によって容器の内部空間がアクセス可能となる。ハンドル５によって、容易に容器を開けることができる。通常の動作では、ボタン６が容器上部２を容器下部３に固定し、ボタン６は凹部７内に係止される。ボタン６が押されることによって、ロックは解除されてもよい。
【００４２】
容器２、３の頂部には、蓋９によって閉じられる容器開口部８が設けられている。蓋９は、第２のヒンジ１０によって容器上部２に回動可能に取り付けられており、これによって容器開口部８がアクセス可能となる。蓋９が自動的に開くように、任意選択のばね１１が備えられてもよい。
【００４３】
廃棄物貯蔵装置１は、容器開口部８の領域において容器に回転可能に取り付けられた駆動リング１２をさらに備えており、駆動リング１２は、駆動リング１２の中央開口部に通された廃棄物貯蔵用袋つまり筒状ビニール１３を係止するように構成されている。本実施例では、駆動リング１２は、支持体１４の上に取り付けられており、弾性のフラップ／蓋１５を有する任意選択の漏斗部を備えている。好ましくは、廃棄物貯蔵用袋つまり筒状ビニール１３は、プラスチックフィルム製であり、フラップ／蓋１５はエラストマー製である。
【００４４】
さらに、廃棄物貯蔵装置１は、廃棄物貯蔵用袋つまり筒状ビニール１３を収容した環状の貯蔵カセット１７を受容するホルダ１６を備えている。本実施例では、貯蔵カセット１７は、下部リング１８と上部リング１９とを備えている。さらに、本実施例では、ホルダ１６は容器上部２の一部であり、貯蔵カセット１７は単にホルダ１６の上に置かれているだけである。したがって、廃棄物貯蔵カセット１７は自在に回転することができる。しかしながら、貯蔵カセット１７はホルダ１６に（回転しないように）固定されてもよく、ホルダ１６と駆動リング１２が共に回転するように、ホルダ１６は駆動リング１２に取り付けられてもよく、駆動リング１２に設けられてもよい。ホルダ１６が省略されている場合、または駆動リング１２の一部である場合、貯蔵カセット１７が駆動リング１２の上に置かれることは容易に想像できる。
【００４５】
廃棄物貯蔵装置１は、貯蔵カセット１７と共に廃棄物貯蔵システム２０を形成している。
【００４６】
駆動リング１２は、図示するような歯部を備えてもよい。具体的には、駆動リング１２に環状歯車２１が装着され、すなわち駆動リング１２は、軸２３によって容器に回転可能に取り付けられたかさ歯車２２と協働する環状歯車２１を備えている。本実施例では、環状歯車２１は、円錐面上に歯部を備えており、かさ歯車２２と協働する。かさ歯車２２は、ラック棒２５と協働する歯車２４と連動する。
【００４７】
代替的に、ラック棒２５は、環状歯車２１と直接協働してもよい。この場合、ラック棒２５は水平方向に配置される。しかしながら、容器開口部８が垂直方向に配置されている場合、ラック棒２５は垂直に配置されてもよい。
【００４８】
さらに代替的に、クランクハンドルが駆動リング１２と連動してもよい。例えば、軸２３を、図示するように長く延ばし、容器の外に延在させることができる。この場合、クランクハンドルは容器の外部（図３において容器の左側）で、軸２３によって取り付けられてもよい。
【００４９】
ラック棒２５は、ラック棒ガイド２６によってラック棒２５の第１の端部が容器２、３内に導かれ、作動後にアイドル位置に移動するように、ばね付勢されてもよい。ラック棒２５は、ギアボックス２７によって囲まれている。さらに、容器は、ギアボックス２７に取り付けられたファスナ２８を備えてもよく、ファスナ２８は、廃棄物貯蔵用袋つまり筒状ビニール１３を固定するように構成されている（図９も参照のこと）。ラック棒ガイド２６またはファスナ２８の領域には、任意選択の刃２９が取り付けられてもよい。かさ歯車２２および／または歯車２４（または駆動機構の任意選択の別の歯車）は、ワンウェイクラッチ装置をさらに備えてもよい（図６から図８も参照のこと）。さらに、ラック棒２５は、図３に示すように、その上端部に任意選択の肉厚部つまりプッシュボタン３０を有してもよい。
【００５０】
廃棄物貯蔵装置１および廃棄物貯蔵システム２０の機能を、以下に示す。
【００５１】
第１のステップでは、貯蔵カセット１７がホルダ１６に取り付けられ、廃棄物貯蔵用筒状ビニール１３は上方向へ引き上げられて駆動リング１２を通される。結び目３１が廃棄物貯蔵用筒状ビニール１３の端部を閉じる。ここで、廃棄物貯蔵システム２０が使用可能となる。
【００５２】
次のステップでは、乳幼児用または大人用おむつ、またはその他の個人的な廃棄物が、貯蔵用筒状ビニール１３に投入されて捨てられる。このため、容器前部の対応するボタンが押されると、ばね１１によってポップアップ式の蓋９が自動的に開かれる。次に、ラック棒２５が、ばね（図１から図５には示さないが図６に示す）によって上方向へ移動される。
【００５３】
ユーザが片手でボタンを押すことによって蓋９が開くため、同時に他方の手で、例えば自由に乳幼児を抱えることができる。しかしながら、ばね１１は省略されてもよい。その場合、単純に持ち上げることによって蓋９は開けられる。
【００５４】
回転する漏斗部の中へ廃棄物が捨てられると、弾性のフラップ／蓋１５は、そのアイドル位置へ戻り、廃棄物貯蔵用筒状ビニール１３を閉じる。ここで蓋９が閉じられると、ラック棒２５が下方向へ押される。したがって、蓋９は、容器開口部８を閉じ、ラック棒２５と協働する。ラック棒２５の移動によって、歯車２４、かさ歯車２２、および駆動リング１２に回転が生じる。これにより、廃棄物貯蔵用筒状ビニール１３はねじられて閉じられる。
【００５５】
弾性のフラップ／蓋１５の戻り動作およびねじり動作によって、廃棄物貯蔵用筒状ビニール１３内に臭いが閉じ込められる。蓋９によるラック棒２５の自動的な作動に加えて、要求に応じてラック棒２５が意図的に操作された場合、防臭機能はさらに向上する可能性がある。駆動リング１２は、例えば、ラック棒２５の自由端部である第２の端部上のプッシュボタン３０を押すことによって、または、駆動リング１２と連動するクランクハンドルがある場合、それを回すことによって、意図的に操作することができる。これに関して、ラック棒２５は、環状歯車２１と直接協働してもよく、水平に配置されてもよいことに留意されたい。この場合、プッシュボタン３０は、容器の側面に配置されてもよい。
【００５６】
本実施例では、駆動リング１２は、例えば、手で蓋９を閉じることによってまたはプッシュボタン３０を押すことによって、手動で駆動される。しかしながら、電動式の操作も同様に考えられる。例えば、蓋９が閉じられてラック棒２５が押されたときに作動するスイッチは、駆動リング１２と連動するタイマおよびモータを始動させることができる。このようにして、駆動リング１２は、一定の（定められた）時間の間、自動的に回転する。
【００５７】
本実施例では、貯蔵カセット１７は、単にホルダ１６上に置かれており、駆動リング１２が操作されたときに自在に回転する。ホルダが駆動リング１２に固定されている場合、ホルダ１６と貯蔵カセット１７は、駆動リング１２と同期して移動してもよい。しかしながら、貯蔵カセット１７は、ホルダ１６に（駆動リング１２と共に回転しないように）固定されてもよい。
【００５８】
さらに本実施例では、ワンウェイクラッチ装置が駆動リング１２の往復移動を防止しているため、ラック棒２５が押されて生じた廃棄物貯蔵用筒状ビニール１３のねじりは、ラック棒２５が解放されたときに解消されない。しかしながら、代替的に、弾性のフラップ／蓋１５は、上記理由により非対称に（例えば、鋸歯のように）成形されてもよい。さらに、ファスナ２８は、ねじり機能の向上のために使用されてもよい。廃棄物を捨てた後に、ボタン６を押し、ハンドル５を使用して容器上部２を持ち上げることによって、容器は開けられる。これにより、廃棄物貯蔵用筒状ビニール１３のねじられた部分がファスナ２８によって締め付けられる（図５を参照のこと）。
【００５９】
好適な一実施形態では、刃２９が、ファスナ２８の領域およびラック棒ガイド２６の領域に配置されている。このようにして、廃棄物貯蔵用筒状ビニール１３の一部を切断することができる。これに関して、廃棄物貯蔵装置１の使用は、廃棄物貯蔵用筒状ビニール１３の使用に限定されないことに留意されたい。代替的に、廃棄物貯蔵用袋が使用されてもよい。この場合、結び目３１は省略されてもよい。上述した機能は、同様に廃棄物貯蔵用袋に対しても適用される。
【００６０】
本実施例では、ラック棒２５は、直線形／真っ直ぐである。しかしながら、これは必要条件ではなく、ラック棒２５は、円弧状であってもよい。さらに、ラック棒２５は、図面に示す実施例とは対照的に、斜めにまたは水平に配置されてもよい。この場合、ラック棒２５の自由端部である第２の端部は、蓋９のくさび部に対向することができ、このくさび部は、蓋９の垂直移動または回動をラック棒２５の水平移動に変換する。
【００６１】
図示する実施例では、ラック棒２５は、第２のヒンジ１０の近くに配置されている。これにより、ラック棒２５の移動距離は短くなる。しかしながら、ラック棒２５は、第２のヒンジ１０の向かいに、すなわち図示するよりも第２のヒンジ１０から距離を置いて配置されてもよく、これにより、小さい力でラック棒２５を作動することができる。
【００６２】
要するに、本発明では廃棄物貯蔵装置１および廃棄物貯蔵システム２０が提供されており、廃棄物貯蔵装置１および廃棄物貯蔵システム２０は、廃棄物貯蔵用袋つまり筒状ビニール１３内に悪臭を閉じ込める。廃棄物貯蔵装置１はラック棒２５を備えており、ラック棒２５は、ラック棒２５の第１の端部において（ここではその下端部において）容器２、３内へ移動可能に導かれて駆動リング１７と連動する。さらにラック棒２５は、ラック棒２５の自由端部である第２の端部において（ここではその上端部において）蓋９に対向し、蓋９と協働する。廃棄物貯蔵装置１は、蓋９の開閉時の自動的な動作を提供しているが、ラック棒２５の自由端部である第２の端部上のプッシュボタン３０によって、要求に応じて意図的に操作することもできる。
【００６３】
ここで図６は、ラック棒機構と廃棄物貯蔵装置１の駆動部の分解図を示している。具体的には、図６は、ギアボックス２７の二つの部品２７ａ、２７ｂ、かさ歯車２２、軸２３、歯車２４、ワンウェイクラッチ装置３２、肉厚部／プッシュボタン３０を有するラック棒２５、およびラック棒ばね３３を示している。上述したように、ラック棒２５が押されると、歯車２４が回転する。ラック棒２５が下方向へ移動すると、ラチェット機構を有するまたは摩擦を利用するワンウェイクラッチ装置３２は引っ掛かり、歯車２４とかさ歯車２２が共に／同期して回転する。かさ歯車２２は、凹部２４から貫通して突出しており、駆動リング１２（図６には示さず）と係合することよって、駆動リング１２が回転する。
【００６４】
ラック棒２５が解放されると、ラック棒ばね３３によって、ラック棒２５はアイドル位置まで上方向に移動する。ラック棒２５が上方向へ移動するときに、ワンウェイクラッチ装置３２は引っ掛かることがないため、移動中のラック棒２５によって歯車２４が回転している間は、かさ歯車２２は静止する。
【００６５】
本実施例では、ラック棒２５が下方向へ移動するときに、ワンウェイクラッチ装置３２は引っ掛かり、ラック棒２５が上方向へ移動するときに解放される。これは有利な変形例であるが、必要条件ではない。ワンウェイクラッチ装置３２は、ラック棒２５が上方向へ移動するときに引っ掛かり、ラック棒２５が下方向へ移動するときに解放されてもよい。この場合、ラック棒ばね３３によって、かさ歯車２２と駆動リング１２が駆動される。
【００６６】
図７および図８は、図６に示す駆動部と類似する廃棄物貯蔵装置１用の駆動部を例示的に示している。対照的に、ワンウェイクラッチ装置３２には、摩擦を利用するワンウェイクラッチ装置が組み込まれている。図７は、駆動部の詳細な側面断面図であり、図８は、摩擦を利用するワンウェイクラッチ装置の正面断面図である。図７および図８のワンウェイクラッチ装置は、一部がかさ歯車２２と歯車２４とによって形成されており、専用のハウジングを備えておらず、独立した装置でないことに留意されたい。
【００６７】
具体的には、ワンウェイクラッチ装置は、ローラ３５を備えており、ローラ３５は、内側の被駆動シャフトを形成する歯車２４と、外側スリーブを形成するかさ歯車２２との間に配置されている。ローラ３５は、歯車２４のくさび状またはテーパ状の切欠き部３６内に配置され、かさ歯車２２の内周面がローラ３５を切欠き部３６から外れることを防止している。ローラ３５は、ローラばね３７によってばね付勢される。ローラ３５にばね力を伝達するために、任意選択の押圧板３８が使用されてもよい。
【００６８】
かさ歯車２２が反時計回りに回転すると、ローラ３５は、切欠き部３６とかさ歯車２２の内周面との間のテーパ状の空間内でかさ歯車２２に引っ掛かり、歯車２４とかさ歯車２２が共に回転する。歯車２４が時計回りに回転するとき、ローラ３５は、かさ歯車２２の内周面上を単に滑動する。この場合、歯車２４が回転しても、かさ歯車２２は静止している。
【００６９】
摩擦を利用するワンウェイクラッチ装置の特別な利点は、非常に静かに動作し、ほとんど聞こえないことである。このようにして、廃棄物貯蔵装置１のユーザ、さらに（睡眠中の）乳幼児は、廃棄物貯蔵装置１の音によって煩わされることがない。
【００７０】
図６から図８に示す実施例では、ワンウェイクラッチ装置３２は、歯車２４とかさ歯車２２との間に配置されている。これは有利な方法であるが、必要条件ではなく、ワンウェイクラッチ装置３２は、廃棄物貯蔵装置１の駆動部の別の位置に配置されてもよい。
【００７１】
図９は、例示的な結束／切断装置３９を上側から見た斜視図である。結束／切断装置３９は、切込み部４２が間に設けられた二つのピン状部分４０、４１を備えている。これにより、簡単に筒状ビニール１３に結び目３１を作ることができる。筒状ビニール１３は、二つのピン状部分４０、４１の周りに巻かれ、ピン状部分４０、４１の間を経由して、形成された筒状ビニール１３のループの中に通される（図９が示す移動路を参照のこと）。最終的な下方向への移動によって、結び目３１が完成するだけでなく、完成した結び目３１を結束／切断装置３９から抜くことができる。
【００７２】
上述の動作は、片手で簡単に実施可能である。対照的に、通常結び目３１を作るには、二本の空いている手が必要である。この廃棄物貯蔵装置１により、例えば、一方の手で乳幼児を抱えながら、他方の手で使用済みおむつを廃棄して筒状ビニール１３に結び目３１を作ることできるようになる。当然のことながら、図９が示す左側から開始される移動路は例示に過ぎず、移動は前側、左側、右側、後ろ側、またはそれらの間の他の方向から開始されてもよい。
【００７３】
図９の結束／切断装置３９は、別体の装置として組み込まれていることに留意されたい。結束／切断装置３９は、着脱可能である場合、スナップ式接続または摩擦接続を用いて、廃棄物貯蔵装置１の本体に取り付けられてもよい。廃棄物貯蔵装置１は、結束／切断装置３９を任意に、特に着脱可能に取り付けるための複数の取付位置すなわち受容位置を備えてもよい。複数の結束／切断装置３９が取付／受容位置に取り付けられてもよい。例えば、二つの結束／切断装置３９が、三つの取付／受容位置のうちの二つに取り付けられてもよい。
【００７４】
しかしながら、結束／切断装置３９は、例えば接着剤を用いて、或いは溶接によって廃棄物貯蔵装置１の本体に恒久的に取り付けられてもよい。当然のことながら、結束／切断装置３９は、廃棄物貯蔵装置１の一部であってもよい。
【００７５】
これに関して、ピン状部分４０、４１のうちの一方がラック棒ガイド２６によって形成されていると、特に有利である。すなわち図１から図７に示すラック棒ガイド２６およびファスナ２８は、図９に示す結束／切断装置３９のピン状部分４０、４１を形成している。さらに、ラック棒ガイド２６およびファスナ２８は、図５に示すように筒状ビニール１３を間に挟むためだけでなく、筒状ビニール１３に結び目３１を作るために形成されてもよい。ラック棒ガイド２６と結束／切断装置３９（すなわち結束／切断装置２６、２８）を一体化することにより、廃棄物貯蔵装置１を非常にコンパクトな設計とすることができる。図９に示す結束／切断装置３９に関して上述した技術的教示は、図１から図７に示す結束／切断装置２６、２８にも等しく関連する。したがって、本明細書の簡略化のために代替的に一方のみを使用する場合、「結束／切断装置３９」は「結束／切断装置２６、２８」に変更されてもよく、「結束／切断装置２６、２８」が「結束／切断装置３９」に変更されてもよい。ラック棒ガイド２６は、一つの部品でもよく、図６および図７に示すように複数のラック棒ガイド２６ａ、２６ｂから構成されてもよいことに留意されたい。
【００７６】
図９に示す実施例では、結束／切断装置３９は、切込み部４２に配置される刃２９を備えている。これにより、筒状ビニール１３は容易に切断することができる。刃２９が任意であることに留意されたい。刃２９が設けられていない場合、図９に示す装置３９は単なる結束装置である。当然のことながら、廃棄物貯蔵装置１は、結束機能および切断機能を提供する複数の単独の結束装置および切断装置を備えてもよい。
【００７７】
図９に示す実施例では、二つのピン状部分４０、４１の軸は略平行であって、且つ二つのピン状部分４０、４１の端部は基本的に同じ方向（反対の方向ではない）を向いている。図９では、両端部は下方向を向いている（下方向と上方向ではない）。本明細書における「略平行」とは、特に二つのピン状部分４０、４１の軸間の角度αが１０°以下であることを意味している。このため、結び目３１を作るためのループは、結び目３１が作られている間、結束／切断装置３９によって良好に保持され、筒状ビニール１３の結び目３１は非常に簡単に結束／切断装置３９から抜くことができる。しかしながら、二つのピン状部分４０、４１の軸間の角度は最大６０°まであってもよい（二つのピン状部分４０、４１の「方向」が模式的に描かれた図９の右側の図を参照のこと）。この場合、筒状ビニール１３のループは、結び目３１が作られている間、結束／切断装置３９によってより良好に保持される。角度が大きければ大きいほど、意図せずに結び目３１が結束／切断装置３９から抜け落ちるリスクが低くなる。しかしながら、角度が６０°を超えると、結び目３１が結束／切断装置３９内で詰まる場合もある。
【００７８】
本実施例では、切込み部４２は平行壁によって境界付けされている。しかしながら、切込み部４２はＶ字形状を有してもよく、二つのピン状部分４０、４１の端部に向かって広がっていてもよい。これにより、筒状ビニール１３をループの中により簡単に通すことができる。
【００７９】
また、結束／切断装置３９は、ピン状部分４０、４１の自由端部から距離を置いて配置される、任意選択のストッパ４３を備えてもよい。特にストッパ４３は、切込み部４２の端部、または切込み部４２の端部の手前に配置されている。これらの手段により、ピン状部分４０、４１の周りに筒状ビニール１３を巻くとき、特に上方向へ移動されるときに、結束／切断装置３９の切込み部４２以外の部分への筒状ビニール１３の望ましくない滑りを回避することができる。このような望ましくない滑りが生じると、ピン状部分４０、４１の間からループの中を通される筒状ビニール１３は、動きが妨げられる。当然のことながら、ストッパ４３は、ピン状部分４０、４１の両方に配置されてもよい。
【００８０】
図９に示す実施例では、結束／切断装置３９は、ピン状部分４０、４１に沿って延在する窪み４４を備えている。この手段により、結び目３１を作るユーザは、二つのピン状部分４０、４１の周りに巻かれた筒状ビニール１３によって形成されたループの中に指、特に親指を簡単に入れることができる。したがって、筒状ビニール１３の自由端部をループの中に通すことで、結び目３１はさらに簡単に完成する。
【００８１】
本発明は、上述した実施形態に制限されず、異なる実施形態の組み合わせが可能であることに留意されたい。実際に廃棄物貯蔵装置１および廃棄物貯蔵システム２０は、図示されたより多くのまたは少ない数の部品を有してもよい。廃棄物貯蔵装置１、廃棄物貯蔵システム２０およびそれらの部品は、異なる尺度で示されてもよく、図示された尺度よりも拡大または縮小されてもよい。最後に、本明細書は、さらに独立した発明の技術的内容を含んでもよい。
【符号の説明】
【００８２】
１      廃棄物貯蔵装置
２      容器上部
３      容器下部
４      第１のヒンジ
５      ハンドル
６      ボタン
７      凹部
８      容器開口部
９      蓋
１０    第２のヒンジ
１１    ばね
１２    駆動リング
１３    廃棄物貯蔵用筒状ビニール
１４    支持体
１５    弾性のフラップ／蓋
１６    ホルダ
１７    貯蔵カセット
１８    下部リング
１９    上部リング
２０    廃棄物貯蔵システム
２１    環状歯車／歯部
２２    かさ歯車
２３    軸
２４    歯車
２５    ラック棒
２６、２６ａ、２６ｂ    ラック棒ガイド
２７、２７ａ、２７ｂ    ギアボックス
２８    ファスナ
２９    刃
３０    肉厚部／プッシュボタン
３１    結び目
３２    ワンウェイクラッチ装置
３３    ラック棒ばね
３４    凹部
３５    ローラ
３６    くさび状／テーパ状の切欠き部
３７    ローラばね
３８    押圧板
３９    結束／切断装置
４０    第１のピン状部分
４１    第２のピン状部分
４２    切込み部
４３    ストッパ
４４    窪み
【図１】
2017206385.tif 000003
【図２】
2017206385.tif 000004
【図３】
2017206385.tif 000005
【図４】
2017206385.tif 000006
【図５】
2017206385.tif 000007
【図６】
2017206385.tif 000008
【図７】
2017206385.tif 000009
【図８】
2017206385.tif 000010
【図９】
2017206385.tif 000011
【外国語明細書】
2017206385.tif 000012
2017206385.tif 000013
2017206385.tif 000014
2017206385.tif 000015
2017206385.tif 000016
2017206385.tif 000017
2017206385.tif 000018
2017206385.tif 000019
2017206385.tif 000020
2017206385.tif 000021
2017206385.tif 000022
2017206385.tif 000023
2017206385.tif 000024
2017206385.tif 000025
2017206385.tif 000026
2017206385.tif 000027
2017206385.tif 000028
2017206385.tif 000029
2017206385.tif 000030
2017206385.tif 000031
2017206385.tif 000032
2017206385.tif 000033
2017206385.tif 000034
【図１】
2017206385.tif 000035
【図２】
2017206385.tif 000036
【図３】
2017206385.tif 000037
【図４】
2017206385.tif 000038
【図５】
2017206385.tif 000039
【図６】
2017206385.tif 000040
【図７】
2017206385.tif 000041
【図８】
2017206385.tif 000042
【図９】
2017206385.tif 000043